(57)【要約】【課題】投写型映像表示装置が暗環境下で使用されるときでも、投写型映像表示装置の入出力端子に接続ケーブルを容易に接続させることを課題とする。【解決手段】映像信号を入出力するための接続端子（例えば接続端子群３３）を備え、前記接続端子（接続端子群３３）に入力された映像入力信号に基づき、映像を表示する表示装置（３１）において、前記接続端子（接続端子群３３）若しくは前記接続端子（接続端子群３３）周辺を照射する照明（５５〜５７）と、前記接続端子（接続端子群３３）の近傍に人物（６１）がいるか否かを検知する対人センサ（５４）と、を備え、前記人物（６１）が前記接続端子（接続端子群３３の近傍にいるという前記対人センサ（５４）からの検知結果に基づいて前記照明（５５〜５７）をＯＮさせることを特徴とする表示装置。【選択図】図８
2012039251.tif 000002
【特許請求の範囲】
【請求項１】
映像信号を入出力するための接続端子を備え、前記接続端子に入力された映像入力信号に基づき、映像を表示する表示装置において、
前記接続端子若しくは前記接続端子周辺を照射する照明と、前記接続端子の近傍に人物がいるか否かを検知する対人センサと、を備え、
前記人物が前記接続端子の近傍にいるという前記対人センサからの検知結果に基づいて前記照明をＯＮさせることを特徴とする表示装置。
【請求項２】
請求項１に記載の表示装置において、前記人物が前記接続端子の近傍にいないという前記対人センサからの検知結果に基づいて前記照明を点灯させないようにすることを特徴とする表示装置。
【請求項３】
請求項１に記載の表示装置において、前記人物が前記接続端子の近傍にいるという前記対人センサからの検知結果が特定時間継続した際に前記照明をＯＮさせることを特徴とする表示装置。
【請求項４】
請求項１に記載の表示装置において、前記接続端子に入力された映像入力信号を特定し、前記映像入力信号に基づいた映像を投写させるインプットサーチをさらに備え、
前記照明がＯＮされた後に前記インプットサーチを動作させることを特徴とする表示装置。
【請求項５】
請求項４に記載の表示装置において、前記照明がＯＮされた後に前記インプットサーチを動作させるか否か選択することができることを特徴とする表示装置。
【発明の詳細な説明】
【技術分野】
【０００１】
本発明は、投写型映像表示装置の入出力端子部の構成に関する。
【背景技術】
【０００２】
従来、投写型映像表示装置では、外部機器からの入力映像信号を投写型映像表示装置に設けられた入力端子へ入力することにより外部機器が出力する映像を投写型映像表示装置から投写していた。具体的には、外部機器の出力端子と図９に示すような投写型映像表示装置Ａの入力端子Ｂを接続ケーブルでユーザが直接繋ぐことによって投写型映像表示装置は外部機器からの映像を受信する。
【先行技術文献】
【特許文献】
【０００３】
【特許文献１】特開２００９−１７５３２１号公報
【発明の開示】
【発明が解決しようとする課題】
【０００４】
投写型映像表示装置は、暗環境下で映像を投写させることも多い。従って、投写型映像表示装置の入出力端子に接続ケーブルでユーザが直接繋ぐという所作を暗環境下で行う場合、手もとが暗く接続動作が非常に困難であるという課題があった。さらに投写型映像表示装置へ設けられる入出力端子は、同様な形状の入出力端子部が複数設けられることも多い。明環境下では、各端子近傍に入出力端子名を付されているために問題となることが少ないが暗環境下では、入出力端子名が見にくいため誤って接続ケーブルの接続形状と違う入出力端子に接続ケーブルを挿してしまい入出力端子又は接続ケーブルを破損させる要因となっていた。
【０００５】
そこで本発明の投写型映像表示装置は、上記課題に鑑みなされたものであり、上述したような表示装置が暗環境下で使用されるときでも、表示装置の入出力端子に接続ケーブルを容易に接続させることを課題とする。
【課題を解決するための手段】
【０００６】
上述した課題を解決するため、本発明は、次のような特徴を有している。まず、本発明の一の特徴は、映像信号を入出力するための接続端子（例えば接続端子群３３）を備え、前記接続端子（接続端子群３３）に入力された映像入力信号に基づき、映像を表示する表示装置（３１）において、前記接続端子（接続端子群３３）若しくは前記接続端子（接続端子群３３）周辺を照射する照明（５５〜５７）と、前記接続端子（接続端子群３３）の近傍に人物（６１）がいるか否かを検知する対人センサ（５４）と、を備え、前記人物（６１）が前記接続端子（接続端子群３３の近傍にいるという前記対人センサ（５４）からの検知結果に基づいて前記照明（５５〜５７）をＯＮさせることを特徴とする。
上述した表示装置（３１）において、前記人物（６１）が前記接続端子（接続端子群３３）の近傍にいないという前記対人センサ（５４）からの検知結果に基づいて前記照明（５５〜５７）を点灯させないようにすることを特徴としてもよい。
【０００７】
上述した表示装置（３１）において、前記人物（６１）が前記接続端子（接続端子群３３）の近傍にいるという前記対人センサ（５４）からの検知結果が特定時間継続した際に前記照明をＯＮさせることを特徴としてもよい。
【０００８】
上述した表示装置（３１）において、前記接続端子（接続端子群３３）に入力された映像入力信号を特定し、前記映像入力信号に基づいた映像を投写させるインプットサーチをさらに備え、前記照明（５５〜５７）がＯＮされた後に前記インプットサーチを動作させることを特徴としてもよい。
【０００９】
上述した表示装置（３１）において、前記照明（５５〜５７）がＯＮされた後に前記インプットサーチを動作させるか否か選択することができることを特徴としてもよい。
【発明の効果】
【００１０】
表示装置が暗環境下で使用されるときでも、表示装置の入出力端子に接続ケーブルを容易に接続させることができる。
【図面の簡単な説明】
【００１１】
【図１】本実施形態に係る投写型映像表示装置の光学構成を示した図である。
【図２】本実施形態に係る投写型映像表示装置の外観構成を示した図である。
【図３】本実施形態に係る投写型映像表示装置が有す接続端子群の詳細構成を示した図である。
【図４】本実施形態に係る対人センサが対人センサの前の人物の検知状態を示した図である。
【図５】本実施形態に係る投写型映像表示装置の構成を示すブロック図である。
【図６】本実施形態に係る投写型映像表示装置の対人センサが人物を検知する方法を示したフローチャートである。
【図７】本実施形態に係る投写型映像表示装置の接続端子群が配される面の前面を人物が通り過ぎる状態を示した図である。
【図８】本実施形態に係る投写型映像表示装置の接続端子群が配される面の前面近傍に人物が存在する状態を示した図である。
【図９】従来の投写型映像表示装置を示した図である。
【発明を実施するための形態】
【００１２】
以下において、本発明の実施形態に係る投写型映像表示装置について、図面を参照しながら説明する。なお、以下の図面の記載において、同一又は類似の部分には、同一又は類似の符号を付している。
【００１３】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
［本実施形態］
（投写型映像表示装置の光学構成）
以下において、本実施形態に係る投写型映像表示装置３１の光学構成について、図１を参照しながら説明する。
【００１４】
図１は、本実施形態に係る投写型映像表示装置の光学構成を示した図である。具体的には図１は、映像光生成部１１及び映像光生成部１１が生成した映像を拡大投写させる投写レンズ２６を示した図である。
【００１５】
投写型映像表示装置の光学構成は、光源１２、インテグレータレンズ１４、偏光変換装置１５、第１ダイクロイックミラー１７、第２ダイクロイックミラー２０、光変調素子２７、２８、２９、投写レンズ２６を有する。
【００１６】
光源１２は、超高圧水銀ランプ、メタルハライドランプ、キセノンランプ等から成り、その投写光はパラボラリフレクタ１３によって平行光となって出射され、インテグレータレンズ１４へと導かれる。
【００１７】
インテグレータレンズ１４は一対のレンズ群（フライアイレンズ）１４ａ、１４ｂから構成されており、個々のレンズ部分が光源１２から出射された光を後述する光変調素子の全面に導くようになっており、光源１２において存在する部分的な輝度ムラを平均化し、画面中央と周辺部での光量差を低減する。インテグレータレンズ１４を経た光は、偏光変換装置１５、及び集光レンズ１６を経た後、第１ダイクロイックミラー１７へと導かれることになる。
【００１８】
偏光変換装置１５は、偏光ビームスプリッタアレイ（以下、ＰＢＳアレイと称する）によって構成されている。ＰＢＳアレイは、偏光分離膜と位相差板（１／２λ板）とを備える。ＰＢＳアレイの各偏光分離膜は、インテグレータレンズ１４からの光のうち例えばＰ偏光を通過させ、Ｓ偏光を９０度光路変更する。光路変更されたＳ偏光は隣接の偏光分離膜にて反射されてそのまま出射される。一方、偏光分離膜を透過したＰ偏光はその前側（光出射側）に設けてある前記位相差板によってＳ偏光に変換されて出射される。すなわち、この場合には、ほぼ全ての光はＳ偏光に変換されるようになっている。
【００１９】
第１ダイクロイックミラー１７は、赤色波長帯域の光を透過し、シアン（緑＋青）の波長帯域の光を反射する。第１ダイクロイックミラー１７を透過した赤色波長帯域の光は、全反射鏡１８にて反射されて光路を変更される。全反射鏡１８にて反射された赤色光はレンズ１９を経て赤色光用の透過型の光変調素子２７に導かれ、これを透過することによって光変調される。一方、第１ダイクロイックミラー１７にて反射したシアン（緑＋青）の波長帯域の光は、第２ダイクロイックミラー２０に導かれる。
【００２０】
第２ダイクロイックミラー２０は、青色波長帯域の光を透過し、緑色波長帯域の光を反射する。第２ダイクロイックミラー２０にて反射した緑色波長帯域の光は、レンズ２１を経て緑色光用の透過型の光変調素子２８に導かれ、これを透過することで光変調される。また、第２ダイクロイックミラー２０を透過した青色波長帯域の光は、全反射鏡２２、全反射鏡２３、レンズ２４を経て青色光用の透過型の光変調素子２９に導かれ、これを透過することで光変調される。
【００２１】
各光変調素子２７、２８、２９は、入射側偏光板２７ａ、２８ａ、２９ａと、一対のガラス基板（画素電極や配向膜を形成してある）間に液晶を封入して成るパネル部２７ｂ、２８ｂ、２９ｂと、出射側偏光板２７ｃ、２８ｃ、２９ｃと、を備えて成る。
光変調素子２７、２８、２９を経ることで変調された変調光（各色映像光）は、クロスダイクロイックプリズム２５によって合成されてカラー映像光となる。このカラー映像光は、投写レンズ２６によって前方へ拡大投写される。
（投写型映像表示装置の外観構成）
以下において、本実施形態に係る投写型映像表示装置３１の外観構成について、図２を参照しながら説明する。
【００２２】
図２は、本実施形態に係る投写型映像表示装置の外観構成を示した図である。投写型映像表示装置３１は、外装筺体３２、接続端子群３３、操作部３４、投写レンズ２６を備える。
【００２３】
外装筺体３２は、略直方体形状を成しており、内部に図1で示した映像光生成部１１、投写レンズ２６、駆動回路（不図示）、電源ユニット（不図示）等を備える。さらに外装筺体３２は、投写レンズ２６が配されている面に対して側面に位置する面に接続端子群３３及び操作部３４を備える。
【００２４】
接続端子群３３は、外部機器（例えば再生装置）からの入力映像信号が入力される入力端子と外部機器（例えばモニタ）への出力映像信号が出力される出力端子をそれぞれ複数有している。接続端子群３３は、さらにＲ／Ｃジャック４８、拡張スロット５２及び５３等を備える。（図３参照）
操作部３４は、複数の操作ボタンを有しており、複数の操作ボタンを操作することにより投写型映像表示装置３１の各種制御を行うことができるように複数の操作ボタンに操作機能が割り当てられている。複数の操作ボタンのそれぞれは、ある使用シーンで割り当てられた制御とは別に他の使用シーンでは、ある使用シーンとは異なった制御を割り当てられる。
【００２５】
投写レンズ２６は、複数のレンズが組み合わされており、投写レンズ２６が配される外装筺体３２の面の略中央に配される。投写レンズ２６の複数のレンズには、フォーカスレンズ及びズームレンズを含む（不図示）。フォーカスレンズは、投写映像光の光軸に対して平行に動作させることにより投写映像光の焦点位置を調整することができる。ズームレンズは、投写映像光の光軸に対して平行に動作させることにより投写映像の大きさを拡大縮小することができる。
（接続端子群の詳細構成）
以下において、本実施形態に係る投写型映像表示装置３１が備える接続端子群３３の詳細構成について、図３を参照しながら説明する。
【００２６】
図３は、本実施形態に係る投写型映像表示装置３１が有す接続端子群３３の詳細構成を示した図である。接続端子群３３は、ＵＳＢ端子４１、アナログ端子４２、ＤＶＩ（Digital Visual Interface）端子４３、ＨＤＭＩ（High-Definition Multimedia Interface）端子４４、モニターＯＵＴ４５、シリアルポートＩＮ４６、シリアルポートＯＵＴ４７、Ｒ／Ｃ（remote controller）ジャック４８、コンポーネント端子４９及び５０、Ｓビデオ端子５１、拡張スロット５２及び５３が配される。
【００２７】
ＵＳＢ端子４１は、パソコン等のＵＳＢ端子と接続され、投写型映像表示装置３１のファームウェアの更新を行うためのデータ通信を行う。
アナログ端子４２、ＤＶＩ端子４３、ＨＤＭＩ端子４４は、INPUT1に属しており、それぞれの入力端子に適した外部機器からの入力映像信号を受信する。アナログ端子４２、ＤＶＩ端子４３、ＨＤＭＩ端子４４のいずれかに入力された入力映像信号は、投写型映像表示装置３１のメニュー画面から投写映像設定をINPUT1に設定することによって映像として投写させることとなる。
【００２８】
アナログ端子４２は、パソコン等のアナログ端子と接続され、パソコン等が描画する映像信号を受信する。
【００２９】
ＤＶＩ端子４３は、パソコン等のＤＶＩ端子と接続され、パソコン等が描画する映像信号を受信する。
【００３０】
ＨＤＭＩ端子４４は、ＤＶＤ（Digital Versatile Disc）再生機器や、Blu-ray再生機器等のＨＤＭＩ端子と接続され、ＤＶＤ再生機器やBlu-ray再生機器等が描画する映像信号を受信する。
【００３１】
コンポーネント端子４９及び５０、Ｓビデオ端子５１は、INPUT2に属しており、それぞれの入力端子に適した外部機器からの入力映像信号を受信する。コンポーネント端子４９及び５０、Ｓビデオ端子５１のいずれかに入力された入力映像信号は、投写型映像表示装置３１のメニュー画面から投写映像設定をINPUT2に設定することによって映像として投写させることとなる。
【００３２】
コンポーネント端子４９及び５０は、映像信号入力端子であるコンポーネント端子４９と同期信号入力端子であるコンポーネント端子５０を備える。コンポーネント端子４９及び５０は、信号発生装置や再生機器等のコンポーネント端子と接続され、信号発生装置や再生機器等が描画するテストパターン信号や映像信号を受信する。
【００３３】
Ｓビデオ端子５１は、映像機器等のＳビデオ端子と接続され、映像機器等が描画する映像信号を受信する。
【００３４】
拡張スロット５２及び５３は、それぞれINPUT3及びINPUT4に属しており投写型映像表示装置３１のメニュー画面から投写映像設定をINPUT3若しくはINPUT4に設定することによって拡張スロット５２若しくは５３に入力される映像を投写させることとなる。
【００３５】
拡張スロット５２及び５３は、投写型映像表示装置３１に装備される標準の接続端子以外の接続端子を用いて投写型映像表示装置３１と接続を行いたい場合にユーザが取り付けることができる拡張スロットである。また、無線ＬＡＮユニットなど入力映像信号や制御信号を受信するための拡張機能としても使用することができる。
【００３６】
モニターＯＵＴ４５は、モニター等のアナログ端子と接続され、投写型映像表示装置３１から投写されている映像信号をモニター等へ送信する。
【００３７】
シリアルポートＩＮ４６は、パソコン等のシリアルボートＯＵＴと接続され、パソコン等からの制御信号を受信する。
【００３８】
シリアルポートＯＵＴ４７は、パソコン等のシリアルポートＩＮと接続され、投写型映像表示装置３１からの制御信号を送信する。
【００３９】
Ｒ／Ｃジャック４８は、有線型のリモコンと直接接続され、投写型映像表示装置３１への制御信号を受信する。
また、図３を参照して、接続端子群３３の中央には対人センサ５４が配され、接続端子群３３の上方には照明５５〜５７が配される。
（接続端子群を照射する照明の詳細構成）
以下において、本実施形態に係る接続端子群３３を照射する照明の詳細構成について、図４を参照しながら説明する。
【００４０】
図４の（ａ）は、本実施形態に係る対人センサ５４が人物６１を検知した状態を示した図である。図４の（ｂ）は、本実施形態に係る対人センサ５４の焦電素子６５を示した図である。
【００４１】
対人センサ５４は、接続端子群３３の前方領域の全域を検知範囲とするため接続端子群３３の略中央に配されており（図３参照）、対人センサ５４の前方にいる人物６１を検知する。対人センサ５４は、人物６１から発せられる赤外光を検知することにより、人物６１を検知する。図４に示すように、人物６１が検知距離内にいる場合（人物６１を実線で表示）には人物６１が発する赤外光を対人センサ５４が検知することができるため、人物６１を検知することができる。しかし人物６１が検知距離外にいる場合（人物６１を点線で表示）には人物６１が発する赤外光が減衰することにより対人センサ５４が赤外光を検知することができないため、人物６１が対人センサ５４の前方にいても検知することができない。
【００４２】
集光レンズ６４は、人物６１から発せられる赤外光を取込み、集光させながら焦電素子６５へ導く。集光レンズ６４は、集光作用を備えるため、対人センサ５４の前方の検知範囲を広げることができる。
焦電素子６５は、集光レンズ６４により導かれた赤外光を受光する。図４の（ｂ）を参照して、焦電素子６５は、複数の焦電体６８を有す。焦電体６８が複数あることにより、複数の焦電体６８は、対人センサ５４の前方にある検知範囲において、検知することができる範囲領域が異なる。（本願実施例では、焦電体６８が６個あるため、検知範囲が６分割される。）すなわち、対人センサ５４の検知範囲における人物６１のいる位置により複数の焦電体６８の中で赤外光を検知することができる焦電体６８が異なる。また、人物６１に動きがあれば複数の焦電体６８の中で赤外光を検知する焦電体６８が異なり、人物６１の動きを検知する。
【００４３】
演算部６６は、焦電素子６５の複数の焦電体６８の検知結果を受け、人物６１が検知距離内に存在するか否かを判断し、その判断結果を出力端子６７を介して制御部７２（図５参照）へ伝送する。
【００４４】
図５は、本実施形態に係る投写型映像表示装置の構成を示すブロック図である。
【００４５】
投写型映像表示装置３１は、input１端子〜input４端子、input１レシーバー〜input４レシーバー、入力選択部７１、制御部７２、対人センサ５４、操作部３４、照明駆動部７３、照明５５〜５７、光変調素子駆動部７４、光変調素子２７、２８、２９、投写レンズ２６を含む。
【００４６】
Input１レシーバー〜input４レシーバーは、input１端子〜input４端子から入力された入力信号に応じて、デジタル信号であればＨＤＣＰ（High Definition Multimedia Interface）やＤＶＩに従う認証及び暗号の複合を行って入力選択部７１に出力し、アナログ映像信号であればＡ／Ｄ変換を行い、デジタル映像信号として入力選択部７１に出力する。
【００４７】
入力選択部７１は、制御部７２へinput１レシーバー〜input４レシーバーの中でどのinputレシーバーから入力があったか通知し、制御部７２からinput１レシーバー〜input４レシーバーの中でどの信号を光変調素子駆動部へ伝送するか指令を受ける。その際、入力映像信号が入力されている各inputレシーバーの中でどの入力映像信号を光変調素子へ伝送するか操作部３４を操作させて投写型映像表示装置３１のメニュー画面からinput番号を選択することによりユーザに選択させてもよく、操作部３４を操作させて投写型映像表示装置３１のメニュー画面からオートインプットサーチを選択すれば、各inputレシーバーの中で入力映像信号が入力されているinputレシーバーを自動で検索して特定の入力映像信号を決定し、光変調素子駆動部へ伝送させても良い。また、オートインプットサーチを行うか否かは、ユーザが任意に変更することができる。
【００４８】
対人センサ５４は、図４で説明したように接続端子群３３の前面に位置する人物６１を検知する。
【００４９】
操作部３４は、ユーザの操作に従いユーザインターフェースとしての機能を有する。具体的には、操作部３４は、ユーザの意思に基づいた各種制御信号を制御部７２へ通知する。
【００５０】
制御部７２は、操作部３４からの各種操作に応じて投写型映像表示装置３１の制御を行う。制御部７２は、対人センサ５４から接続端子群３３の前面に位置する人物６１を検知した場合には、照明駆動部７３へ照明５５〜５７を点灯させるように指示する。対人センサ５４から接続端子群３３の前面に位置する人物６１を検知しなかった場合には、照明駆動部７３へ照明５５〜５７を点灯させないように指示する。
【００５１】
光変調素子駆動部７４は、入力選択部７１から出力されるinput１レシーバー〜input４レシーバーからの信号のいずれかを受信すると光変調素子２７、２８、２９へ受信した信号を伝送する。
【００５２】
図６は、本実施形態に係る投写型映像表示装置の対人センサが人物を検知する方法を示したフローチャートである。
【００５３】
投写型映像表示装置３１の電源がＯＮされると（ステップ１０）対人センサ５４の電源も同時にＯＮされる（ステップ２０）。
【００５４】
ステップ２０で対人センサ５４の電源がＯＮされると対人センサ５４の演算部６６、焦電素子６５の初期化が行われた後で対人センサ５４により赤外光の検知が開始される（ステップ３０）。
【００５５】
ステップ３０の後、対人センサ５４により赤外光が検知されているか否か制御部７２により判断される（ステップ４０）。対人センサ５４により赤外光が検知されない場合（ステップ４０のＮＯ）、接続端子群３３の上方に配される照明５５〜５７を点灯させないようにし（ステップ５０）、再度対人センサ５４により赤外光の検知を実施する（ステップ３０）。
【００５６】
対人センサ５４により赤外光が検知される場合（ステップ４０のＹＥＳ）、対人センサ５４が赤外光を検知した状態を維持しながら一定時間経過したか否かを制御部７２で判断する（ステップ６０）。ここで、対人センサが赤外光を検知した状態を維持しながら一定時間経過したか否かを制御部７２で判断するため、対人センサ５４は継続的に検知動作を繰り返す。
【００５７】
対人センサ５４が赤外光を検知した状態を維持しながら一定時間経過していない場合（ステップ６０のＮＯ）、例えば図７のように投写型映像表示装置３１の接続端子群３３が配される面の前面近傍を人物６１が一時的に通過したものであると制御部７２で判断され、接続端子群３３の上方に配される照明５５〜５７を点灯させないようにする（ステップ５０）。
【００５８】
対人センサ５４が赤外光を検知した状態を維持しながら一定時間経過した場合（ステップ６０のＹＥＳ）、例えば図８のように投写型映像表示装置３１の接続端子群３３が配される面の前面近傍に人物６１が存在しており、接続ケーブル等の接続動作を行っていると制御部７２で判断され、接続端子群３３の上方に配される照明５５〜５７を点灯させる（ステップ７０）。
【００５９】
ステップ７０の後、ユーザにより照明点灯後のオートインプットサーチがＯＮされていれば（ステップ８０のＹＥＳ）、オートインプットサーチを自動で動作させてインプットされた信号に基づいた映像を投写させて（ステップ９０）ステップ３０へ戻る。照明点灯後のオートインプットサーチがＯＮされていなければ（ステップ８０のＮＯ）、オートインプットサーチを動作させずにステップ３０へ戻る。
【００６０】
このように、人物６１が対人センサ５４の前面近傍に位置するときに、照明５５〜５７を自動で点灯させることにより投写型映像表示装置３１が暗環境下で使用されるときでも、投写型映像表示装置３１の入出力端子に接続ケーブルを容易に接続させることができる。
【００６１】
また、人物６１が接続ケーブルの接続作業を終了させて投写型映像表示装置３１から離れたとき、人物６１が対人センサ５４の近傍にいないことを検知して照明５５〜５７を消灯させることにより、照明５５〜５７の消し忘れによる無駄な電力消費を削減することができる。
【００６２】
また、対人センサ５４が人物６１を検知するとき、一定時間以上人物６１が対人センサ５４の近傍に存在するのを確認してから照明５５〜５７を点灯させる。従って、照明５５〜５７を点灯させる必要がない一時的に対人センサ５４の近傍を通り過ぎたときは、照明５５〜５７を点灯させないようにすることができるため、暗環境下で映像鑑賞している際に照明５５〜５７が点灯してしまい観賞者の気を散らしてしまうことを防げる。さらに不必要に照明５５〜５７を点灯させないため、無駄な電力消費を削減することができる。
【００６３】
また、照明５５〜５７が点灯した後にオートインプットサーチを自動で動作させることにより、ユーザが入力されているインプット番号を選択する手間を省くことができ、映像を投写するまでの時間を短縮することができる。
【００６４】
また、照明５５〜５７が点灯した後にオートインプットサーチを動作させるか否かをユーザに選択させることができるため、ユーザが接続した入力映像信号をすぐに投写させたくないときは、投写型映像表示装置３１からすぐに映像を投写させないようにすることができる。
【００６５】
尚、本実施例は、透過型の液晶パネルを用いた投写型映像表示装置を示したが、これに限定されるものではなく他の映像光生成系を備える投写型映像表示装置においても本発明を適用でき、ＤＭＤ（Digital Mirror Device）方式、ＬＣＯＳ（Liquid Crystal on Silicon）方式、レーザ光などの固体光源を使用した固体光源方式で適用してもよいものとする。
【００６６】
また、本実施例は、投写型映像表示装置を用いて説明したがこれに限定されるものではなく入力端子を備える表示装置であっても良いものとする。
【符号の説明】
【００６７】
入力部（接続端子群）・・・３３、表示装置（投写型映像表示装置）・・・３１
照明・・・５５〜５７、対人センサ・・・５４、人物（人物）・・・６１
【図１】
2012039251.tif 000003
【図２】
2012039251.tif 000004
【図３】
2012039251.tif 000005
【図４】
2012039251.tif 000006
【図５】
2012039251.tif 000007
【図６】
2012039251.tif 000008
【図７】
2012039251.tif 000009
【図８】
2012039251.tif 000010
【図９】
2012039251.tif 000011